(57)【特許請求の範囲】
【請求項１】
可視情報を担持する平面状の表示面を設けられた看板本体と、上端側を前記看板本体に、幅方向に延びる回動軸を中心として所定範囲内において回動可能に支持された回動脚とを有してなる立て看板を支持する立て看板支持台であって、
基台と、この基台に前後方向に移動可能かつ幅方向に延びる回動軸を中心として回動可能に支持されており、前記看板本体の下端側を固定支持する看板本体支持具と、前記基台に幅方向に延びる回動軸を中心として回動可能に支持されており、前記回動脚の下端側を固定支持する回動脚支持具とを有してなり、
前記看板本体の下端側を固定支持した前記看板本体支持具および前記回動脚の下端側を固定支持した前記回動脚支持具がそれぞれ前記基台に対して動かされることにより、当該立て看板支持台に支持された前記立て看板が、前記表示面が鉛直方向に立ち上がるとともに前記回動脚が前記看板本体に対して開かれる状態と、前記表示面、前記回動脚および前記基台が互いに平行になる状態との２つの状態をとり得るようになっている立て看板支持台。
【請求項２】
可視情報を担持する平面状の表示面を設けられた看板本体と、上端側を前記看板本体に、幅方向に延びる回動軸を中心として所定範囲内において回動可能に支持された回動脚とを有してなる立て看板を支持する立て看板支持台であって、
基台と、この基台に前後方向に移動可能かつ幅方向に延びる回動軸を中心として回動可能に支持されており、前記看板本体の下端側を固定支持する看板本体支持具と、前記基台に、前記看板本体支持具とは独立に、前後方向に移動可能かつ幅方向に延びる回動軸を中心として回動可能に支持されており、前記回動脚の下端側を固定支持する回動脚支持具とを有してなり、
前記看板本体の下端側を固定支持した前記看板本体支持具および前記回動脚の下端側を固定支持した前記回動脚支持具がそれぞれ前記基台に対して動かされることにより、当該立て看板支持台に支持された前記立て看板が、前記表示面が鉛直方向に立ち上がるとともに前記回動脚が前記看板本体に対して開かれる状態と、前記表示面、前記回動脚および前記基台が互いに平行になる状態との２つの状態をとり得るようになっている立て看板支持台。
【請求項３】
基台と、可視情報を担持する平面状の表示面を設けられており、下端側を前記基台に、前後方向に移動可能かつ幅方向に延びる回動軸を中心として回動可能に支持された看板本体と、下端側を前記基台に、幅方向に延びる回動軸を中心として回動可能に支持される一方、上端側を前記看板本体に、幅方向に延びる回動軸を中心として所定範囲内において回動可能に支持された回動脚とを有してなり、
前記看板本体および前記回動脚がそれぞれ前記基台に対して動かされることにより、前記表示面が鉛直方向に立ち上がるとともに前記回動脚が前記看板本体に対して開かれる状態と、前記表示面、前記回動脚および前記基台が互いに平行になる状態との２つの状態をとり得るようになっている立て看板。
【請求項４】
基台と、可視情報を担持する平面状の表示面を設けられており、下端側を前記基台に、前後方向に移動可能かつ幅方向に延びる回動軸を中心として回動可能に支持された看板本体と、下端側を前記基台に、前記看板本体とは独立に、前後方向に移動可能かつ幅方向に延びる回動軸を中心として回動可能に支持される一方、上端側を前記看板本体に、幅方向に延びる回動軸を中心として所定範囲内において回動可能に支持された回動脚とを有してなり、
前記看板本体および前記回動脚がそれぞれ前記基台に対して動かされることにより、前記表示面が鉛直方向に立ち上がるとともに前記回動脚が前記看板本体に対して開かれる状態と、前記表示面、前記回動脚および前記基台が互いに平行になる状態との２つの状態をとり得るようになっている立て看板。
【請求項５】
基台と、可視情報を担持する平面状の表示面を設けられており、下端側を前記基台に、幅方向に延びる回動軸を中心として回動可能に支持された看板本体と、下端側を前記基台に、前後方向に移動可能かつ幅方向に延びる回動軸を中心として回動可能に支持される一方、上端側を前記看板本体に、該看板本体の上下方向に移動可能かつ幅方向に延びる回動軸を中心として所定範囲内において回動可能に支持された回動脚とを有してなり、
前記看板本体および前記回動脚がそれぞれ前記基台に対して動かされることにより、前記表示面が鉛直方向に立ち上がるとともに前記回動脚が前記看板本体に対して開かれる状態と、前記表示面、前記回動脚および前記基台が互いに平行になる状態との２つの状態をとり得るようになっている立て看板。
【発明の詳細な説明】
【０００１】
【発明の属する技術分野】
本発明は、表示面を設けられた看板本体と、この看板本体に上端側を回動可能に支持された回動脚とを有してなり、看板本体に対して回動脚を開き方向に回動した状態で設置面上に立てられる一方、不使用時には、回動脚を看板板本体に対して実質的に平行となるように折り畳むことができ、道路工事の表示等に使用される立て看板およびその支持台に関する。
【０００２】
【従来の技術】
図１および２は、従来のこの種の立て看板を示し、矩形状の看板本体１には、全体に平面状でかつ反射性を有する表示面２が設けられており、この表示面２上には文字、図形、記号等の可視情報３が担持されている。前記看板本体１の上端寄りの部分には、回動脚４の上端部が、看板本体１の幅方向に延びる回動軸５を中心として所定範囲内において回動可能に支持されている。そして、この立て看板は、看板本体１に対し回動脚４を開いた状態で看板本体１および回動脚４の下端部を接地することにより、表示面２を斜め上向きに傾斜させた状態で設置面上に立てられるようになっていた。
【０００３】
【発明が解決しようとする課題】
従来のこの種の反射立て看板においては、前記のように表示面２が斜め上向きに傾斜された状態で使用されていたため、夜間、自動車のヘッドライトから照射された光が図２の矢印Ａのように表示面２に入射しても、この光の５０％以上が矢印Ｂのように斜め上方に反射されて前記自動車の運転者の目には入らないので、看板の視認性・訴求性が必ずしも十分でないという問題があった。
【０００４】
また、風等により立て看板が倒れないように、土嚢等の重しを針金により立て看板に接続したりしていたが、その作業に手間が掛かるという問題もあった。
【０００５】
本発明は、このような事情に鑑みてなされたもので、本発明の一つの目的は、使用時は、表示面を実質的に鉛直方向に直立させることにより、夜間、自動車のヘッドライトから照射された光が表示面に入射したとき、前記自動車の運転者の方に反射される光を増加させ、視認性・訴求性を従来より大幅に向上することができ、しかも収納時および運搬時等の不使用時には、従来と同様に折り畳むことができる立て看板および立て看板支持台を提供することにある。
【０００６】
本発明の他の目的は、非常に簡単な作業によって風等により立て看板が倒れないようにすることができる立て看板および立て看板支持台を提供することにある。
【０００７】
本発明の他の目的は、既存の立て看板をそのまま利用して、使用時は表示面を実質的に鉛直方向に直立させる一方、収納時および運搬時には従来と同様に該立て看板を折り畳むことができるようにする立て看板支持台を提供することにある。
【０００８】
本発明のさらに他の目的は、以下の説明から明らかになろう。
【０００９】
【課題を解決するための手段】
本発明の看板支持台においては、基台に、立て看板の看板本体の下端側を支持する看板本体支持具と、回動脚の下端側を支持する回動脚支持具とを支持させる。そして、看板本体の表示面が実質的に鉛直方向に立ち上がるとともに回動脚が看板本体に対して開かれる状態と、表示面、回動脚および基台が互いに実質的に平行になる状態との２つの状態をとり得るように、看板本体支持具および回動脚支持具を基台に対して可動とする。
【００１０】
この看板支持台に立て看板を支持させ、立て看板の表示面を実質的に鉛直方向に直立させた状態とすれば、夜間、自動車のヘッドライトから照射された光が表示面に入射したとき、従来のように上方に反射してしまう光を減少し、前記自動車の運転者の方に反射されて来る光を増加させ、視認性・訴求性を従来より大幅に向上することができる（厳密に言うと、自動車のヘッドライトから照射される光はやや下方から立て看板の表示面に入射されるので、完全な鉛直方向よりやや前傾した状態とすると、運転者の方に反射される光を最大とし、視認性・訴求性を一番良くすることができる）。
【００１１】
また、収納時および運搬時等の不使用時には、表示面、回動脚および基台が互いに実質的に平行になる状態に折り畳むことができる。
【００１２】
また、土嚢等の重しを基台に載せるだけで、風等により立て看板が倒れないようにすることができる。
【００１３】
他方、本発明の立て看板においては、基台に、立て看板の看板本体の下端側および回動脚の下端側を支持させる。そして、看板本体の表示面が実質的に鉛直方向に立ち上がるとともに回動脚が看板本体に対して開かれる状態と、表示面、回動脚および基台が互いに実質的に平行になる状態との２つの状態をとり得るように、基台、看板本体および回動脚を互いに可動とする。
【００１４】
この場合も、前記立て看板支持台を用いた場合と同様の作用効果を得ることができる。
【００１５】
【発明の実施の形態】
以下、本発明を実施例に基づいて説明する。
【００１６】
【実施例】
図３〜５は、本発明による立て看板支持台の第一実施例を示す。この立て看板支持台の基台６は、それぞれ角パイプ材からなる１対ずつの前後方向部材６ａおよび幅方向部材６ｂを矩形状に組み合わせた枠体状をなしている。前記基台６の底面の四隅部には、この立て看板支持台を設置する道路等の設置面と基台６との間に若干の間隙を形成するための突起部７が設けられている。
【００１７】
前記基台６を構成する１対の互いに平行な前後方向部材６ａの外周側には、角パイプ材からなるスライド部材７が該前後方向部材６ａの長さ方向に移動可能に嵌合されており、これらのスライド部材７の連結部材８側の端部間には角パイプ材からなる１本の連結部材８（図５参照）が固定されている。各スライド部材７の一端部には、それぞれ角パイプ材からなる看板本体支持具９の下端部が蝶番１０を介して回動可能に支持されている。各蝶番１０の回動軸１０ａ、すなわちスライド部材７ひいては基台６に対する看板本体支持具９の回動軸１０ａは、基台６の幅方向（幅方向部材６ｂと平行で前後方向部材６ａと垂直な方向）に延びている。
【００１８】
前記基台６の後端隅部には、それぞれ蝶番１１を介して１対の回動脚支持具１２の下端部が回動可能に支持されている。各蝶番１１の回動軸１１ａ、すなわち基台６に対する回動脚支持具１２の回動軸１１ａは、基台６より若干上方において基台６の幅方向に延びている。前記回動脚支持具１２は、図１０に示されるように、角パイプ材からなる外側材１２ａとこの外側材１２ａの内周に固定された該外側材１２ａより短い角パイプ材からなるストッパ材１２ｂとからなる。
【００１９】
図６は、本実施例の立て看板支持台に前記図１および２の従来の既存の立て看板を支持させ、かつ該立て看板の表示面２を鉛直方向に直立させた状態を示している。また、図７はこの状態における看板本体支持具９付近の縦断面図、図１０はこの状態における回動脚支持具１２付近の縦断面図をそれぞれ示している。これらの図に示されるように、看板本体１の両側部を構成する角パイプ材からなる縦方向部材１ａの下端部は看板本体支持具９内に収容される一方、回動脚４の両側部を構成する角パイプ材からなる縦方向部材４ａの下端部は回動脚支持具１２内に収容され、その最下端はストッパ材１２ｂの上端に当接されている。
【００２０】
なお、図８に示されるように、前記スライド部材７に溶接等により固定されたナット１３には、蝶ネジ１４が螺合されており、該蝶ネジ１４の先端はスライド部材７内部まで侵入可能となっており、該蝶ネジ１４を締め付けて該蝶ネジ１４の先端を基台６の前後方向部材６ａの外周に押圧することにより、基台６に対してスライド部材７を前後方向部材６ａ上の任意の位置で固定できるようになっている。同様にして、図９に示されるように、前記看板本体支持具９に溶接等により固定されたナット１５には、蝶ネジ１６が螺合されており、該蝶ネジ１６の先端は看板本体支持具９内部まで侵入可能となっており、該蝶ネジ１６を締め付けて該蝶ネジ１６の先端を看板本体支持具９の内部に収容された看板本体１の縦方向部材１ａの下端部の外周に押圧することにより、看板本体支持具９に対して看板本体１の縦方向部材１ａの下端部を固定できるようになっている。同様にして、図１１に示されるように、前記回動脚支持具１２に溶接等により固定されたナット１７には、蝶ネジ１８が螺合されており、該蝶ネジ１８の先端は回動脚支持具１２内部まで侵入可能となっており、該蝶ネジ１８を締め付けて該蝶ネジ１８の先端を回動脚支持具１２の内部に収容された回動脚４の縦方向部材４ａの下端部の外周に押圧することにより、回動脚支持具１２に対して回動脚４の縦方向部材４ａの下端部を固定できるようになっている。
【００２１】
前記図６のようにして看板支持台に立て看板を支持させ、かつスライド部材７ひいては看板本体支持具９を基台６の前後方向部材６ａ上の適当な位置に位置させて固定し、看板本体支持具９を実質的に鉛直方向に直立させることにより、立て看板の表示面２を実質的に鉛直方向に直立させた状態とすることができる（このとき、回動脚支持具１２および回動脚４は、ある角度傾いた状態となる）。そして、このようにすると、夜間、自動車のヘッドライトから照射された光が表示面２に入射したとき、従来のように上方に反射してしまう光が減少し、前記自動車の運転者の方に反射されて来る光を増加させ、視認性・訴求性を従来より大幅に向上することができる（厳密に言うと、自動車のヘッドライトから照射される光はやや下方から立て看板の表示面２に入射されるので、完全な鉛直方向よりやや前傾した状態とすると、運転者の方に反射される光を最大とし、視認性・訴求性を一番良くすることができる）。
【００２２】
また、この看板支持台では、土嚢等の重しを基台に載せるだけで、風等により立て看板が倒れないようにすることができる。
【００２３】
また、収納時および運搬時等の不使用時には、図６の一点鎖線に示されるように、スライド部材７ひいては看板本体支持具９を回動脚支持具１２側に移動させるとともに看板本体支持具９および回動脚支持具１２をそれぞれ回動軸１０ａ，１１ａを中心として前方に倒して行くと、最終的には図１２のように、看板本体１、回動脚４および基台６を互いに実質的に平行に隣接させた状態に折り畳むことができる。
【００２４】
図１３および１４は、本発明による立て看板支持台の第二実施例を示す。本実施例においては、回動脚支持具１２は、角パイプ材からなる芯部材１２ｃと、この芯部材１２ｃの外周側に該芯部材１２ｃの長さ方向にスライド可能に嵌合された角筒状のスライド部材１２ｄとを有してなる。前記スライド部材１２ｄの内周側は段付き状となっており、該スライド部材１２ｄの内周の上端側と芯部材１２ｃの外周との間には、間隙１９が形成されている。図１２に示されるように、前記スライド部材１２ｄの下端側に溶接等により固定されたナット２０には、蝶ネジ２１が螺合されていて、該蝶ネジ２１の先端はスライド部材１２ｄ内部まで侵入可能となっており、該蝶ネジ２１を締め付けて、該蝶ネジ２１の先端を芯部材１２ｃの外周に押圧することにより、芯部材１２ｃに対してスライド部材１２ｄを任意の位置に固定できるようになっている。
【００２５】
本実施例では、芯部材１２ｃに対してスライド部材１２ｄを適当な位置で固定した上、立て看板の回動脚４の縦方向部材４ａの下端部を芯部材１２ｃとスライド部材１２ｄとの間に形成された間隙１９に挿入する。前記スライド部材１２ｄの上端側に溶接等により固定されたナット２２には、蝶ネジ２３が螺合されていて、該蝶ネジ２３の先端はスライド部材１２ｄ内部まで侵入可能となっており、該蝶ネジ２３を締め付けて、該蝶ネジ２３の先端を縦方向部材４ａの外周に押圧することにより、スライド部材１２ｄに対して縦方向部材４ａを固定できるようになっている。他の構成は前記第一実施例と同様である。
【００２６】
本実施例においては、芯部材１２ｃに対しスライド部材１２ｄの位置を変更することにより、回動脚支持具１２による回動脚４の支持位置を看板の大きさに応じて調整できる。なお、看板本体支持具９の方も、同様の構成として、該看板本体支持具９による看板本体１の支持位置を調整できるようにしてもよい。
【００２７】
また、前記各実施例では、看板本体支持具９および回動脚支持具１２を角パイプや角筒状の部材により構成しているが、これらを丸パイプ材や円筒状の部材等の他の形状の部材により構成してもよい。
【００２８】
また、前記各実施例においては、立て看板と看板支持台とを別体とし、立て看板の看板本体１および回動脚４をそれぞれ看板本体支持具９と回動脚支持具１２を介して基台６に着脱可能に支持させているが、看板本体１と回動脚４とを、前記各実施例における看板本体支持具９および回動脚支持具１２と基台６との支持関係と同様の関係で基台６に支持させることにより、基台６と立て看板とを一体化しても同様の効果を得ることができる。ただし、その場合は、前記各実施例のように既存の立て看板をそのまま使用することはできなくなる。
【００２９】
図１５および１６は、本発明による立て看板の第一実施例を示す概略側面図である。この実施例は、前記各実施例の立て看板支持台の場合とは異なる結合関係により基台と立て看板とを一体化した実施例である。本実施例においては、基台６にはスライド部材２４，２５がそれぞれ前後方向に移動可能に支持されており、これらのスライド部材２４，２５は前後方向の任意位置において基台６に固定可能とされている。前記スライド部材２４には、看板本体１の下端部が、幅方向に延びる回動軸２６を中心として回動可能に支持される一方、前記スライド部材２５には回動脚４の下端部が、幅方向に延びる回動軸２７を中心として回動可能に支持されている。
【００３０】
本実施例においては、図１５の実線で示されるように、基台６に対してスライド部材２４，２５ひいては看板本体１の下端部および回動脚４の下端部を基台６上の適当な位置に位置させることにより、看板本体１ひいては立て看板の表示面２を鉛直方向に直立させた状態とすることができる。
【００３１】
また、収納時および運搬時等の不使用時には、図１５の一点鎖線に示されるように、看板本体１および回動脚４を前方に移動させるとともに回動軸２６，２７を中心として後方に倒して行くと、最終的には図１６のように、看板本体１、回動脚４および基台６を互いに実質的に平行に隣接させた状態に折り畳むことができる。
【００３２】
なお、前記看板支持台の実施例の場合と同様に、立て看板と看板支持台とを別体とし、立て看板の看板本体１および回動脚４を、本実施例の場合と同様の結合関係により、看板本体支持具および回動脚支持具を介して基台６に支持させるようにしてもよい。
【００３３】
図１７および１８は、本発明による立て看板の第二実施例を示す概略側面図である。本実施例においては、看板本体１の下端部は基台６に、幅方向に延びる回動軸２８を中心として回動可能に支持されている。前記基台６には、前後方向に移動可能にスライド部材２９が支持されており、このスライド部材２９は基台６に対して前後方向の任意位置において固定可能とされている。前記スライド部材２９には回動脚４の下端部が幅方向に延びる回動軸３０を中心として回動可能に支持されている。前記看板本体１にはスライド部材３１が該看板本体１の上下方向に沿って移動可能に支持されており、このスライド部材３１は看板本体１上の上下方向の任意位置において固定可能とされている。前記スライド部材３１には回動脚４の上端部が幅方向に延びる回動軸３２を介して支持されている。
【００３４】
本実施例においては、図１７の実線で示されるように、スライド部材２９ひいては回動脚４の下端部を基台６上の所定位置に固定するとともにスライド部材３１ひいては回動脚４の上端部を看板本体１上の所定位置に固定することにより、基台６に対し看板本体１ひいては表示面２を実質的に鉛直方向に直立させた状態とすることができる。
【００３５】
また、収納時および運搬時等の不使用時には、図１７の一点鎖線に示されるように、まずスライド部材２９，３１ひいては回動脚４の上端部および下端部を看板本体１上と基台６上を移動させることにより前方側に倒して行き、スライド部材３２ひいては回動脚４の上端部が基台６に対する看板本体１の回動軸２８を通過したならば、看板本体１を回動軸２８を中心として後方に倒して行くと、最終的には図１８のように、看板本体１、回動脚４および基台６を互いに実質的に平行に隣接させた状態に折り畳むことができる。
【００３６】
【発明の効果】
以上のように本発明による立て看板支持台および立て看板によれば、
（イ）使用時は表示面を実質的に鉛直方向に直立させることにより、夜間、自動車のヘッドライトから照射された光が表示面に入射したとき、前記自動車の運転者の方に反射される光を増加させ、視認性・訴求性を従来より大幅に向上することができ、しかも収納時および運搬時には従来の立て看板と同様に折り畳むことができる、
（ロ）土嚢等の重しを基台に載せるだけで、風等により立て看板が倒れないようにすることができる、
等の優れた効果を得られる。
【００３７】
また、本発明による立て看板支持台によれば、さらに、既存の立て看板をそのまま取り付けて、使用時は表示面を実質的に鉛直方向に直立させる一方、収納時および運搬時には従来と同様に折り畳むことも可能になるという優れた効果を得られる。
【図面の簡単な説明】
【図１】従来の立て看板の一例を示す斜視図である。
【図２】前記従来の立て看板を示す側面図である。
【図３】本発明による立て看板支持台の第一実施例を示す正面図である。
【図４】前記立て看板支持台の第一実施例を示す側面図である。
【図５】前記立て看板支持台の第一実施例を示す平面図である。
【図６】前記立て看板支持台の第一実施例に前記従来の立て看板を支持させるとともに該立て看板の表示面を鉛直方向に直立させた状態を示す側面図である。
【図７】図６の看板本体支持具９付近を示す縦断面図である。
【図８】図７のＶＩＩＩ−ＶＩＩＩ線における断面図である。
【図９】図７のＩＸ−ＩＸ線における断面図である。
【図１０】図７の回動脚支持具１２付近を示す縦断面図である。
【図１１】図１０のＸＩ−ＸＩ線における断面図である。
【図１２】前記立て看板支持台の第一実施例に前記従来の立て看板を支持させるとともに折り畳んだ状態を示す側面図である。
【図１３】本発明による立て看板支持台の第二実施例における回動脚支持具１２付近を示す縦断面図である。
【図１４】図１３のＸＩＶ−ＸＩＶ線における断面図である。
【図１５】本発明による立て看板の第一実施例を表示面を直立させた状態で示す概略側面図である。
【図１６】前記立て看板の第一実施例を折り畳んだ状態で示す概略側面図である。
【図１７】本発明による立て看板の第二実施例を表示面を直立させた状態で示す概略側面図である。
【図１８】前記立て看板の第二実施例を折り畳んだ状態で示す概略側面図である。
【符号の説明】
１    看板本体
２    表示面
３    可視情報
４    回動脚
５    看板本体に対する回動脚の回動軸
６    基台
７    スライド部材
９    看板本体支持具
１０ａ  基台に対する看板本体支持具の回動軸
１１ａ  基台に対する回動脚支持具の回動軸
１２    回動脚支持具
２４，２５  スライド部材
２６    基台に対する看板本体の回動軸
２７    基台に対する回動脚の回動軸
２８    基台に対する看板本体の回動軸
２９    スライド部材
３０    基台に対する回動脚の回動軸
３１    スライド部材
【図１】
0003802608.tif 000002
【図２】
0003802608.tif 000003
【図３】
0003802608.tif 000004
【図４】
0003802608.tif 000005
【図５】
0003802608.tif 000006
【図６】
0003802608.tif 000007
【図７】
0003802608.tif 000008
【図８】
0003802608.tif 000009
【図９】
0003802608.tif 000010
【図１０】
0003802608.tif 000011
【図１１】
0003802608.tif 000012
【図１２】
0003802608.tif 000013
【図１３】
0003802608.tif 000014
【図１４】
0003802608.tif 000015
【図１５】
0003802608.tif 000016
【図１６】
0003802608.tif 000017
【図１７】
0003802608.tif 000018
【図１８】
0003802608.tif 000019